(57)【特許請求の範囲】
【請求項１】
音源で発生した音声を外部に出力する音声出力部を有する筺体と、該筺体に取外しを可能に取付けられ、前記音声出力部側を装飾する装飾板とを備える音声出力装置において、前記装飾板が取付けられる箇所と離隔した箇所に、前記音声により前記装飾板が振動するのを抑制する振動抑制体を備え、前記筺体は前記音声出力部の周りに複数の係止孔及び該係止孔の縁に抜止段部を経て連なる凸部を有し、前記装飾板は前記係止孔の夫々に挿入される係止片及び該係止片が前記係止孔に挿入されるときに撓み、挿入後に弾性復元して前記凸部に当接し、前記係止片を前記係止孔の内面に押付け、且つ前記抜止段部に係止される可撓部を有することを特徴とする音声出力装置。
【請求項２】
音源で発生した音声を外部に出力する音声出力部を有する筺体と、該筺体に取外しを可能に取付けられ、前記音声出力部側を装飾する装飾板とを備える音声出力装置において、前記筺体は前記音声出力部の周りに複数の係止孔及び該係止孔の縁に抜止段部を経て連なる凸部を有し、前記装飾板は前記係止孔の夫々に挿入される係止片及び該係止片が前記係止孔に挿入されるときに撓み、挿入後に弾性復元して前記凸部に当接し、前記係止片を前記係止孔の内面に押付け、且つ前記抜止段部に係止される可撓部を有することを特徴とする音声出力装置。
【請求項３】
前記可撓部は前記係止片と一体成形された舌片である請求項１又は２記載の音声出力装置。
【請求項４】
表示面を有する表示部と、該表示部を支持する支持体と、前記表示部の一側に装着される請求項１乃至３の何れか一つに記載の音声出力装置とを備えることを特徴とする表示装置。
【発明の詳細な説明】
【技術分野】
【０００１】
本発明は音源で発生した音声を外部に出力する音声出力装置、及び該音声出力装置を備える表示装置に関する。
【背景技術】
【０００２】
音声出力装置はテレビ等の表示装置に用いられている。また、音声出力装置は、音源を収容し、該音源で発生した音声を外部に出力する音声出力孔を有する筺体と、該筺体に超音波溶着により取付けられて前記音声出力部を装飾するパンチングネット等の装飾板とを備える（例えば特許文献１参照）。
【０００３】
ところで、音声出力装置は表示装置に対応した大きさに形成されるため、表示装置が大形化すると、音声出力装置も大形にする必要がある。
【特許文献１】特開平５−１８３９７７号公報
【発明の開示】
【発明が解決しようとする課題】
【０００４】
特許文献１のように装飾板が超音波溶着により取付けられる音声出力装置にあっては、表示装置及び音声出力装置の大形化に対応して超音波溶着装置も大形とし、溶着能力を高める必要がある。しかし、溶着能力が高い超音波溶着装置を開発すると、開発費及び設備費等が高くなるため、表示装置及び音声出力装置が比較的大形である場合、超音波溶着装置に代えて、図１５に示すように筺体１００に複数の係止孔１０１を設け、この係止孔１０１の夫々に係止される複数の係止片１０２を装飾板１０３に設け、係止片１０２の夫々を係止孔１０１に挿入した後、該係止片１０２の夫々の先端部を折曲げることにより装飾板１０３を筺体１００に取付けている。
【０００５】
ところが、係止片１０２を備える構成にあっては、複数の係止片１０２が装飾板１０３を取付けているため、係止片１０２の折曲げ状態にバラツキが発生し、この折曲げ状態が悪い取付箇所では音声出力孔から外部に出力される音声により装飾板１０３にビビリ音が発生することになり、改善策が要望されていた。
【０００６】
本発明は斯かる事情に鑑みてなされたものであり、主たる目的は装飾板が取付けられる箇所と離隔した箇所に、音源で発生した音声により前記装飾板が振動するのを抑制する振動抑制体を設けることにより、装飾板にビビリ音が発生するのを防ぐことができる音声出力装置を提供することにある。
【０００７】
また、他の目的は装飾板が取付けられる筺体に係止孔を設け、該係止孔に挿入される係止片及び該係止片が前記係止孔に挿入されるときに撓み、挿入後に弾性復元して前記係止片を前記係止孔の内面に押付ける可撓部を装飾板に設けることにより、装飾板の係止片部分でビビリ音が発生するのを防ぐことができる音声出力装置を提供することにある。
【０００８】
また、他の目的は振動抑制体を備える構成において、筺体に複数の係止孔を設け、該係止孔の夫々に挿入される係止片及び該係止片が前記係止孔に挿入されるときに撓み、挿入後に弾性復元して前記係止片を前記係止孔の内面に押付ける可撓部を装飾板に設けることにより、係止片部分でビビリ音が発生するのを防ぐことができる音声出力装置を提供することにある。
【０００９】
また、他の目的は装飾板を筺体と離隔する方向へ押付ける可撓片を筺体と一体成形することにより、振動抑制体としての複数の可撓片を備える割に部品点数を低減できる音声出力装置を提供することにある。
【００１０】
また、他の目的は振動抑制体を可撓材で形成することにより、装飾板にビビリ音が発生するのをより一層防ぐことができる音声出力装置を提供することにある。
【００１１】
また、他の目的は可撓材で形成した振動抑制体を嵌入すべき嵌入凹部を筺体に設けることにより、可撓材で形成されている振動抑制体の組込作業性を向上できる音声出力装置を提供することにある。
【００１２】
また、他の目的は舌片を係止片と一体成形し、該舌片を可撓部とすることにより、可撓部を有する割に部品点数を低減できる音声出力装置のコストを低減できる音声出力装置を提供することにある。
【００１３】
また、他の目的は表示部の一側に前記音声出力装置を備える構成とすることにより、音声出力装置の装飾板にビビリ音が発生するのを防ぐことができる表示装置を提供することにある。
【課題を解決するための手段】
【００１４】
本発明に係る音声出力装置は、音源で発生した音声を外部に出力する音声出力部を有する筺体と、該筺体に取外しを可能に取付けられ、前記音声出力部側を装飾する装飾板とを備える音声出力装置において、前記装飾板が取付けられる箇所と離隔した箇所に、前記音声により前記装飾板が振動するのを抑制する振動抑制体を備え、前記筺体は前記音声出力部の周りに複数の係止孔及び該係止孔の縁に抜止段部を経て連なる凸部を有し、前記装飾板は前記係止孔の夫々に挿入される係止片及び該係止片が前記係止孔に挿入されるときに撓み、挿入後に弾性復元して前記凸部に当接し、前記係止片を前記係止孔の内面に押付け、且つ前記抜止段部に係止される可撓部を有することを特徴とする。
【００１５】
この発明にあっては、筺体に取外しを可能に取付けられる装飾板の音声による振動を、装飾板が取付けられる箇所と離隔した箇所に設けられた振動抑制体により抑制することができ、装飾板にビビリ音が発生するのを防ぐことができる。また、装飾板に設けられている複数の係止片を、筺体の係止孔に挿入することにより装飾板を筺体に取付けることができる。また、係止片が係止孔に挿入されるとき可撓部が撓み、係止片を前記係止孔の内面に押付けることができ、装飾板にビビリ音が発生するのを防ぐことができる。
【００１６】
また、本発明に係る音声出力装置は、音源で発生した音声を外部に出力する音声出力部を有する筺体と、該筺体に取外しを可能に取付けられ、前記音声出力部側を装飾する装飾板とを備える音声出力装置において、前記筺体は前記音声出力部の周りに複数の係止孔及び該係止孔の縁に抜止段部を経て連なる凸部を有し、前記装飾板は前記係止孔の夫々に挿入される係止片及び該係止片が前記係止孔に挿入されるときに撓み、挿入後に弾性復元して前記凸部に当接し、前記係止片を前記係止孔の内面に押付け、且つ前記抜止段部に係止される可撓部を有することを特徴とする。
【００１７】
この発明にあっては、装飾板に設けられている複数の係止片を、筺体の係止孔に挿入することにより装飾板を筺体に取付けることができる。また、係止片が係止孔に挿入されるとき可撓部が撓み、係止片を前記係止孔の内面に押付けることができ、装飾板にビビリ音が発生するのを防ぐことができる。
【００２６】
また、本発明に係る音声出力装置は、前記可撓部は前記係止片と一体成形された舌片であることを特徴とする。
【００２７】
この発明にあっては、可撓部が係止片と一体成形されているため、可撓部を有する割に部品点数を低減でき、音声出力装置のコストを低減できる。
【００２８】
また、本発明に係る表示装置は、表示面を有する表示部と、該表示部を支持する支持体と、前記表示部の一側に装着される前述した発明の音声出力装置とを備えることを特徴とする。
【００２９】
この発明にあっては、音声出力装置の筺体に取外しを可能に取付けられている装飾板の音声による振動を振動抑制体及び／又は可撓部により防ぐことができ、装飾板にビビリ音が発生するのを防ぐことができる。
【発明の効果】
【００３０】
以上詳述したように本発明によれば、筺体に取外しを可能に取付けられる装飾板の音声による振動を振動抑制体により抑制することができ、装飾板にビビリ音が発生するのを防ぐことができる。
【００３１】
また、本発明によれば、装飾板を筺体に取付ける係止片が係止孔に挿入されるとき可撓部が撓み、係止片を前記係止孔の内面に押付けることができるため、装飾板にビビリ音が発生するのを防ぐことができる。
【００３２】
また、本発明によれば、振動抑制体を備える構成において、装飾板を筺体に取付ける係止片が係止孔に挿入されるとき可撓部が撓み、係止片を前記係止孔の内面に押付けることができるため、装飾板にビビリ音が発生するのを防ぐことができる。
【００３３】
また、本発明によれば、振動抑制体としての可撓片が筺体と一体成形されているため、複数の振動抑制体を備える割に部品点数を低減でき、音声出力装置のコストを低減できる。
【００３４】
また、本発明によれば、可撓材により形成されている振動抑制体の減衰性を高めることができるため、装飾板にビビリ音が発生するのをより一層防ぐことができる。
【００３５】
また、本発明によれば、振動抑制体を嵌入凹部に嵌入することにより振動抑制体を装着することができるため、可撓材により形成されている振動抑制体の組込作業性を向上できる。
【００３６】
また、本発明によれば、可撓部が係止片と一体成形されているため、可撓部を有する割に部品点数を低減でき、音声出力装置のコストを低減できる。
【００３７】
また、本発明によれば、この発明にあっては、音声出力装置の筺体に取外しを可能に取付けられている装飾板の音声による振動を振動抑制体及び／又は可撓部により防ぐことができ、装飾板にビビリ音が発生するのを防ぐことができる。
【発明を実施するための最良の形態】
【００３８】
以下本発明をその実施の形態を示す図面に基づいて詳述する。図１は本発明に係る音声出力装置が装着された表示装置の構成を示す正面図、図２及び図３は音声出力装置の構成を示す断面図、図４は音声出力装置の筺体の構成を示す背面図、図５は要部の構成を示す拡大断面図、図６は筺体の係止爪部分の構成を示す平面図、図７は図５のVII −VII 線の断面図、図８は筺体の構成を示す正面図、図９は筺体の可撓片部分の構成を示す断面図、図１０は装飾板の一部の構成を示す平面図、図１１は図１０のXI−XI線の拡大断面図、図１２は装飾板の構成を示す側面図である。
【００３９】
図示した音声出力装置は、テレビ画像を表示し、前面視略直方形をなす表示装置２０の下部に装着されるものであり、ウーバー等の音源１と、該音源１を支持し、表示装置２０のリアキャビネット２１に取着される支持体２と、該支持体２を収容し、音源１で発生した音声を外部に出力する音声出力孔群３１を有する筺体３と、該筺体３の音声出力孔群３１の周りに取外しを可能に取付けられ、音声出力孔群３１側を装飾する金属製の装飾板４と、前記音声により装飾板４が振動するのを抑制する振動抑制体５とを備えており、上下の幅に比べて横方向長さが比較的長い略直方形に形成されている（図１参照）。
【００４０】
音源１は低音の音波を発生する二つのスピーカ１１，１１と、中高音の音波を発生するウーバ１２と、高音の音波を発生するツィータ１３とを備え、これらが横方向に離隔して並置されている。
【００４１】
筺体３は音源１の音波出力側と向き合う音声出力孔群３１を有する孔板部３２と、該孔板部３２の周縁に連なる角筒部３３とを備え、合成樹脂により一体成形されており、孔板部３２の表面に布製のネット部材６が貼付けられている。
【００４２】
孔板部３２は矩形の浅皿形をなし、角筒部３３は直方形をなし、孔板部３２の長辺部及び角筒部３３の長辺部の間に段部３４があり、該段部３４に複数の第１の係止孔３５、及び第１の係止孔３５の内縁に連なる抜止凹所３６、換言すると図５に示すように第１の係止孔３５の内縁に抜止段部を経て連なり、第１の係止孔３５の中心軸方向に延出された凸部が孔板部３２の長手方向に離隔して設けられている。また、孔板部３２の二つの短辺部に第２の係止孔３７が設けられている。音声出力孔群３１は格子状に形成されており、音声出力孔群３１の周りに、装飾板４を孔板部３２と離隔する方向へ押付ける複数の可撓片３８が孔板部３２の周方向へ離隔して設けられている（図８参照）。
【００４３】
可撓片３８は音声出力孔群３１の孔に連なる複数箇所に一体成形されており、孔板部３２の表面より外側へ突出する凸部３８ａが可撓片３８の先端部に設けられており（図９参照）、該凸部３８ａが装飾板４に接触することにより、装飾板４を孔板部３２と離隔する方向へ押付けている（図５参照）。
【００４４】
第１及び第２の係止孔３５，３７は断面矩形の長孔からなり、第１の係止孔の長辺部の途中には、内縁の開口距離が外縁の開口距離より短い一対の凸部３５ａ，３５ａを設けてあり、両側の凸部３５ａ，３５ａにより後記する係止片４３を案内するようになっている（図５参照）。
【００４５】
装飾板４は孔板部３２に対応する矩形の略］字形をなし（図１１、図１２参照）、比較的小径の丸孔４１がほぼ全面に開設されている。また、長辺縁には段部３４に対向する内向延出片４１と、該内向延出片４１から外方へ延出された外向延出片４２と、該外向延出片４２から外方へ延出され、第１及び第２の係止孔３５，３７に挿入される第１及び第２の係止片４３，４４とが一体成形されている。（図１０〜図１２参照）
【００４６】
第１の係止片４３には略Ｕ字形をなす貫通孔に囲まれ、係止片４３の係止孔３５への挿入方向に対して傾斜する舌片４５が一体成形されている（図６参照）。この舌片４５は、第１の係止片４３が第１の係止孔３５に挿入されるとき前記貫通孔内へ撓み、挿入後に弾性復元して抜止凹所３６、換言すると第１の係止孔３５の内縁に連なる抜止段部に係止されるとともに（図５参照）、前記抜止段部を経て第１の係止孔３５の内縁に連なる前記凸部に当接して第１の係止片４３を第１の係止孔３５の内面に押付けている（図５及び図７参照）。尚、第２の係止片４４は舌片４５がなく、第２の係止孔３７に挿入され、該係止孔３７の内面に接触している。
【００４７】
以上のように構成された音声出力装置は、表示装置２０のリアキャビネット２１の下部にボルト等の取着手段により取付けられた支持体２に３種類の音源１が並置されており、音源１を収容する筺体３の外周側に開設された第１及び第２の係止孔３５，３７に、装飾板４の周縁部に突設された第１及び第２の係止片４３，４４の夫々を挿入することにより、装飾板４を筺体３に取付ける。
【００４８】
第１の係止片４３を第１の係止孔３５に挿入するとき、第１の係止片４３に設けられている舌片４５が撓み、舌片４５とともに第１の係止片４３が挿入され、この挿入後に舌片４５が弾性復元して抜止凹所３６に当接し、第１の係止片４３が抜出るのを防ぐことができ、装飾板４の取付け状態を維持することができるとともに、舌片４５の弾性復元により第１の係止片４３が第１の係止孔３５の内面に押付けられる（図５参照）。
【００４９】
この装飾板４は内面が複数の可撓片３８の凸部３８ａにネット部材５を介して接触し、装飾板４は筺体３の孔板部３２と離隔する方向（前方）へ押付けられるとともに、装飾板４の内向延出片４１が段部３４と離隔し、図５のように隙間ができる。
【００５０】
しかして、装飾板４は、音声出力孔群３１と向合う部分の内面に可撓片３８が接触し、第１の係止片４３が第１の係止孔３５の内面に押付けられているため、音声出力孔群３１から出力される音声により装飾板４が筺体３に対して振動するのを防ぐことができ、装飾板４によりビビリ音が発生するのを防ぐことができる。
【００５１】
また、第１の係止片４３と一体に舌片４５が設けられているため、係止片４３部分でビビリ音をなくすることができる割に部品点数を低減でき、コストを低減できる。
【００５２】
以上のように音声出力装置が装着される表示装置２０は、テレビ画像等を表示する表示面２２ａを有する表示部２２と、該表示部２２の周縁部を取り囲むフロントキャビネット２３と、表示部２２の後側を覆うリアキャビネット２１と、表示部２２を起立状態に支持するスタンド２４とを備え、表示面２２ａに表示される画像に対応した音声が音源１から出力されるように構成される。
【００５３】
図１３は音声出力装置の要部の他の構成を示す断面図である。以上説明した実施の形態では装飾板４を筺体３と離隔した方向へ押付ける振動抑制体５として、筺体３の孔板部３２に可撓片３８を一体に設けたが、その他、孔板部３２の表面に例えば凹溝等の嵌入凹部３９を設け、該嵌入凹部３９にゴム、スポンジ等の可撓材により形成された振動抑制体７を嵌入、接着等の固定手段により取付ける構成としてもよい。
【００５４】
図１４は音声出力装置の要部の他の構成を示す断面図である。また、以上説明した実施の形態では、装飾板４を筺体３と離隔した方向へ押付ける振動抑制体５（可撓片３８）又は振動抑制体７と、第１の係止片４３を第１の係止孔３５の内面に押付ける舌片４５とを備える構成としたが、その他、振動抑制体（可撓片３８）又は振動抑制体７と、舌片４５とのいずれか一方をなくし、他方だけを備える構成としてもよい。この場合、振動抑制体５，７をなくするときは、装飾板４を孔板部３２に対して前記ビビリ音が発生しないように離隔させるのであり、また、舌片４５をなくするときは、第１の係止孔３５に挿入された第１の係止片４３の先端部を折曲げ、この折曲部に隙間が生じないようにする。
【００５５】
また、本発明に係る表示装置は液晶テレビ等の液晶表示装置である他、プラズマ表示装置、ＥＬディスプレイ等の表示装置であってもよい。
【図面の簡単な説明】
【００５６】
【図１】本発明に係る音声出力装置が装着された表示装置の構成を示す正面図である。
【図２】本発明に係る音声出力装置の構成を示す断面図である。
【図３】本発明に係る音声出力装置の構成を示す断面図である。
【図４】本発明に係る音声出力装置の筺体の構成を示す背面図である。
【図５】本発明に係る音声出力装置の要部の構成を示す拡大断面図である。
【図６】本発明に係る音声出力装置の筺体の係止爪部分の構成を示す平面図である。
【図７】図５のVII −VII 線の断面図である。
【図８】本発明に係る音声出力装置の筺体の構成を示す正面図である。
【図９】本発明に係る音声出力装置の筺体の可撓片部分の構成を示す断面図である。
【図１０】本発明に係る音声出力装置の装飾板の一部の構成を示す平面図である。
【図１１】図１０のXI−XI線の拡大断面図である。
【図１２】本発明に係る音声出力装置の装飾板の構成を示す側面図である。
【図１３】本発明に係る音声出力装置の要部の他の構成を示す断面図である。
【図１４】本発明に係る音声出力装置の要部の他の構成を示す断面図である。
【図１５】従来の音声出力装置の一部を拡大した断面図である。
【符号の説明】
【００５７】
１    音源
３    筺体
３１  音声出力孔群（音声出力部）
３５  係止孔
３８  可撓片（振動抑制体）
３９  嵌入凹部
４    装飾板
４３  係止片
４５  舌片（可撓部）
６    振動抑制体
【図１】
0004716914.tif 000002
【図２】
0004716914.tif 000003
【図３】
0004716914.tif 000004
【図４】
0004716914.tif 000005
【図５】
0004716914.tif 000006
【図６】
0004716914.tif 000007
【図７】
0004716914.tif 000008
【図８】
0004716914.tif 000009
【図９】
0004716914.tif 000010
【図１０】
0004716914.tif 000011
【図１１】
0004716914.tif 000012
【図１２】
0004716914.tif 000013
【図１３】
0004716914.tif 000014
【図１４】
0004716914.tif 000015
【図１５】
0004716914.tif 000016